(57)【特許請求の範囲】
【請求項１】
前面が開口された内箱と外箱との間に発泡断熱材を充填して形成された前面開口を有する断熱構造の本体と、前記前面開口を開閉する扉とを備え、前記本体内部が上から順に冷蔵室、冷凍室及び野菜室に仕切壁にて形成されている冷凍冷蔵庫において、
前記冷凍室の背部に形成された冷却室に配設された冷却器及び冷気循環用ファンと、
前記冷蔵室の背部に配設され、前記冷却器からの冷気を前記冷蔵室の上部に設けられた主冷気吹出孔から吹き出す冷蔵室用冷気通路を形成する冷気ダクトと、
前記冷気ダクトと前記冷却室との連通部に設けられ、前記冷蔵室の温度に応じて開放度合を変えて前記冷気ダクトへ供給される冷気の量を制御する機械式ダンパーと、
前記冷蔵室用冷気通路の、前記機械式ダンパーの開放度合を考慮した位置に形成され、前記冷気ダクトへ供給される冷気を前記冷蔵室に吹き出す補助冷気吹出孔とを備え、
前記冷蔵室用冷気通路は、前記冷却器からの冷気を前記主冷気吹出孔に向かわせる冷気往路と、この冷気往路の上部より分岐して前記冷気を前記主冷気吹出孔の下方に設けられた棚部冷気吹出孔に向かわせる冷気復路とから構成され、前記補助冷気吹出孔は前記冷気往路の前記機械式ダンパーの開放度合が一番小さい場合における冷気到達位置に形成すると共に、その大きさは、機械式ダンパーの開放度合が大きい場合の、主冷気吹出孔からの冷気の吹き出しに影響を及ぼすことがない程に主冷気吹出孔に比べて小さく形成したことを特徴とする冷凍冷蔵庫。
【発明の詳細な説明】
【０００１】
【産業上の利用分野】
本発明は、冷凍冷蔵庫に関し、特に冷却器からの冷気を冷蔵室に吹き出すための冷気吹出孔の形成位置に関する。
【０００２】
【従来の技術】
最近の冷凍冷蔵庫においては、従来のように本体内部を上から順に冷凍室、冷蔵室及び野菜室に仕切るのではなく、使用頻度を考慮して上から順に冷蔵室、冷凍室及び野菜室を仕切壁にて仕切形成するようにしたものがある。そして、このような冷凍冷蔵庫においては、冷蔵室の背部に冷気ダクトを配設し、冷凍室の背部に形成された冷却室に配設された冷却器からの冷気を冷蔵室に供給する冷蔵室用冷気通路を形成するようにしている。
【０００３】
なお、この冷気ダクトと冷却器との間には冷気ダクト及び冷却器とそれぞれ連通する一方、冷蔵室の下部に形成された氷温室に冷気を供給するための氷温室用冷気通路及び野菜室に冷気を供給するため別に設けられている野菜室用冷気供給路に冷却器からの冷気の一部を吹き出すための野菜室用冷気通路が内部に形成されている冷気分配部材が設けられるようになっている。
【０００４】
これにより、冷却器から供給される冷気は冷気分配部材及び冷気ダクトの冷蔵室用冷気通路を通って冷蔵室の上部に設けられた冷気吹出孔から冷蔵室に吹き出される一方、冷気分配部材の氷温室用冷気通路を通って氷温室に、また野菜室用冷気通路を通って野菜室用冷気供給路にそれぞれ吹き出されるようになっており、このような構造の冷凍冷蔵庫としては、例えば特開平４−２８８４６６号公報等に示されるものがある。
【０００５】
ところで、この冷気分配部材と冷却室とを連通する連通部にはダンパーが設けられており、このダンパーの開閉により冷気ダクトへ供給される冷気の量を制御するようにしている。なお、このようなダンパーとしては冷蔵室の温度に応じて開閉される構造の電気式ダンパーと、冷蔵室の温度に応じて開放度合を変える構造の機械式ダンパーとがあるが、電気式ダンパーは構造が複雑で値段も高いため、構造が簡単で安価な機械式ダンパーが使用されることが多い。
【０００６】
【発明が解決しようとする課題】
ところが、このような機械式ダンパーでは、冷蔵室の温度が下がって開放度合が小さくなった場合には冷気ダクトに流入する冷気の量が少なくなり、このように流入冷気の量が少なくなった場合には、冷気の大半が氷温室及び野菜室用冷気供給路に向かって吹き出されるので冷蔵室用冷気通路に供給される冷気が少なくなって冷気吹出孔に到達することができなくなる。
【０００７】
したがって、このような機械式ダンパーを備えた従来の冷凍冷蔵庫においては、機械式ダンパーの開放度合が小さい場合には冷蔵室に冷気が供給されなくなるという問題点があった。
【０００８】
そこで、本発明はこのような問題点を解決するためになされたものであり、機械式ダンパーを使用した場合でも、確実に冷蔵室に冷気を供給することのできる冷凍冷蔵庫を提供することを目的とするものである。
【０００９】
【課題を解決するための手段】
請求項１の発明は、前面が開口された内箱と外箱との間に発泡断熱材を充填して形成された前面開口を有する断熱構造の本体と、前記前面開口を開閉する扉とを備え、前記本体内部が上から順に冷蔵室、冷凍室及び野菜室に仕切壁にて形成されている冷凍冷蔵庫において、前記冷凍室の背部に形成された冷却室に配設された冷却器及び冷気循環用ファンと、前記冷蔵室の背部に配設され、前記冷却器からの冷気を前記冷蔵室の上部に設けられた主冷気吹出孔から吹き出す冷蔵室用冷気通路を形成する冷気ダクトと、前記冷気ダクトと前記冷却室との連通部に設けられ、前記冷蔵室の温度に応じて開放度合を変えて前記冷気ダクトへ供給される冷気の量を制御する機械式ダンパーと、前記冷蔵室用冷気通路の、前記機械式ダンパーの開放度合を考慮した位置に形成され、前記冷気ダクトへ供給される冷気を前記冷蔵室に吹き出す補助冷気吹出孔とを備え、前記冷蔵室用冷気通路は、前記冷却器からの冷気を前記主冷気吹出孔に向かわせる冷気往路と、この冷気往路の上部より分岐して前記冷気を前記主冷気吹出孔の下方に設けられた棚部冷気吹出孔に向かわせる冷気復路とから構成され、前記補助冷気吹出孔は前記冷気往路の前記機械式ダンパーの開放度合が一番小さい場合における冷気到達位置に形成すると共に、その大きさは、機械式ダンパーの開放度合が大きい場合の、主冷気吹出孔からの冷気の吹き出しに影響を及ぼすことがない程に主冷気吹出孔に比べて小さく形成したものである。
【００１１】
【作用】
請求項１の発明では、前面が開口された内箱と外箱との間に発泡断熱材を充填して前面開口を有する断熱構造の本体を形成する一方、この本体内部に仕切壁にて仕切形成されている冷凍室の背部に冷却器及び冷気循環用ファンを配設する冷却室を形成する。また、冷蔵室の背部に冷気ダクトを配設し、冷却器からの冷気を冷蔵室の上部に設けられた主冷気吹出孔から吹き出す冷蔵室用冷気通路を形成する。さらに、冷気ダクトと冷却室との連通部に冷蔵室の温度に応じて開放度合を変える機械式ダンパーを設け、冷蔵室の温度に応じて冷気ダクトへ供給される冷気の量を制御する。そして、冷蔵室用冷気通路の機械式ダンパーの開放度合を考慮した位置に形成された補助冷気吹出孔により、機械式ダンパーの開放度合が小さい場合でも、冷気ダクトへ供給される冷気を冷蔵室に吹き出すことができるようにする。さらに、冷蔵室用冷気通路を冷却器からの冷気を主冷気吹出孔に向かわせる冷気往路と、この冷気往路の上部より分岐して冷気を主冷気吹出孔の下方に設けられた棚部冷気吹出孔に向かわせる冷気復路とから構成する一方、補助冷気吹出孔を、冷気往路の前記機械式ダンパーの開放度合が一番小さい場合における冷気到達位置に形成するようにする。また、この補助冷気吹出孔の大きさは、主冷気吹出孔に比べてかなり小さいものとして、機械式ダンパーの開放度合が大きい場合の、主冷気吹出孔からの冷気の吹き出しに影響を及ぼすことがないようにする。
【００１３】
【実施例】
以下、本発明の一実施例を図面を参照して説明する。
【００１４】
図１は、本発明の一実施例に係る冷凍冷蔵庫の本体の斜視図、図２はその側面断面図である。
【００１５】
図１，２において、１は断熱構造の本体（以下本体という）であり、この本体１は前面が開口された内箱２と外箱３との間に発泡断熱材４を充填して形成されるようになっている。また、この本体１の内部には上から順に冷蔵室５、冷凍室６及び野菜室７が仕切壁８にて形成されている。なお、９は冷蔵室５を開閉するよう設けられた断熱扉、１０は冷凍室６及び野菜室７に設けられた断熱扉を兼ねる引き出し、１１は棚である。
【００１６】
ところで、この冷凍室６の背部には冷却器１２及び冷気循環用ファン１３が配設された冷却室１４が形成されており、冷蔵室５の下部には断熱性の棚１１ａにて画成された氷温室１５が設けられている。
【００１７】
また、この冷蔵室５の背部には冷気ダクトであるマルチダクト１６が配設されている。ここで、このマルチダクト１６は、冷却器１２からの冷気を図３に示すように冷蔵室５の上部に設けられた主冷気吹出孔１７から吹き出す冷蔵室用冷気通路１８を形成するためのものである。
【００１８】
なお、同図において、１８ａ，１８ｂはリブ６ａにより冷蔵室用冷気通路１８に仕切形成された冷気往路及び冷気復路であり、冷却器１２からの冷気はマルチダクト１６に供給された後、冷蔵室用冷気通路１８の中央に形成されている冷気往路１８ａを通って主冷気吹出孔１７から吹き出されるようになっている。
【００１９】
また、冷気の一部は、破線の矢印Ａに示すように主冷気吹出孔１７に向かわずにリブ６ａの上端を過ぎた後、冷気往路１８ａの上部より分岐している冷気復路１８ｂに入って棚１１に臨む位置に形成されている棚部冷気吹出孔１７ａから冷蔵室５に吹き出されるようになっている。そして、このように冷気を主冷気吹出孔１７だけでなく棚部冷気吹出孔１７ａからも冷蔵室５に吹き出すようにすることにより、冷蔵室５を均一に冷却することができるようにしている。
【００２０】
一方、図２に示すように氷温室１５と内箱２との間には内部に機械式ダンパー（以下ダンパーという）２１が配設されると共に、冷蔵室用冷気通路１８に連通するダンパー室２２が設けられている。ここで、このダンパー室２２は発泡スチロール等にて形成された断熱性を有する冷気分配部材２３により形成され、また氷温室１５は棚１１ａの後端を、この冷気分配部材２３に当接させて形成されるようになっている。
【００２１】
なお、この冷気分配部材２３は、既述したようにマルチダクト１６及び冷却器１２との間に連通するように設けられると共に、内部に野菜室７に冷気を供給する野菜室用冷気通路１９と、氷温室１５に冷気を供給するための氷温室用冷気通路２０とが形成されるようになっている。また、この冷気分配部材２３の下部には、冷却室１４とダンパー室２２と連通する連通部である連通路２４が形成されており、冷却器１２からの冷気は送風装置１３により、この連通路２４を経てダンパー室２２に供給されるようになっている。そして、この連通路２４のダンパー室２２側の開口にダンパー２１が配設されるようになっている。
【００２２】
ところで、このダンパー２１は、既述したように冷蔵室５の温度に応じて開放度合を変えるものであり、このダンパー２１の開放度合が小さい場合は、ダンパー室２２を経てマルチダクト１６に供給される冷気の量が少なくなる。そして、このように冷気の量が少なくなると、既述したように冷気の大半が野菜室用冷気通路１９及び氷温室用冷気通路２０から吹き出されるようになり、冷蔵室用冷気通路１８に供給される冷気が主冷気吹出孔１７に到達しないようになる。
【００２３】
そこで、冷蔵室用冷気通路１８の野菜室用冷気通路１９を越えて主冷気吹出孔１７に至るまでの途中のダンパー２１の開放度合を考慮した位置に、図３及び図４に示すように補助冷気吹出孔２５を形成するようにしている。そして、このように補助冷気吹出孔２５を形成することにより、ダンパー２１の開放度合が小さい場合、冷気が主冷気吹出孔１７に到達しない場合でも、この補助冷気吹出孔２５により、冷気を冷蔵室５に吹き出すことができるので冷蔵室５を冷却することができる。
【００２４】
なお、この補助冷気吹出孔２５は、実験等により求められたダンパー２１の開放度合が一番小さい場合における冷気到達位置に形成するようにする。また、この補助冷気吹出孔２５の大きさは、主冷気吹出孔１７に比べてかなり小さいものとしており、これによりダンパー２１の開放度合が大きい場合の、主冷気吹出孔１７からの冷気の吹き出しに影響を及ぼすことがないようにしている。
【００２５】
一方、図１において、２６は野菜室用冷気通路１９からの冷気及び冷蔵室５及び氷温室１５を巡った後の冷気を野菜室７に供給するための野菜室用冷気供給路であり、図２において、２７は野菜室用冷気供給路２６から供給された野菜室７に冷気を冷却室１４に戻す野菜室用冷気復路である。また、図３において、２８は冷気分配部材２３の前面に形成され、氷温室１５に冷気を吹き出すための冷気吹出孔である。
【００２６】
次に、このように構成された冷凍冷蔵庫の冷蔵室冷却動作について説明する。
【００２７】
通常、冷却器１２からの冷気は送風装置１３により冷気分配部材２３の連通路２４、ダンパー室２２を経てマルチダクト１６に供給された後、冷蔵室用冷気通路１８を通って図１に示す主冷気吹出口１７及び棚部冷気吹出孔１７ａから冷蔵室５に吹き出される。なお、冷却器１２からの冷気の一部は、氷温室用冷気通路２３を通って冷気分配部材２３に形成された冷気吹出口２４から氷温室１５に、また野菜室用冷気通路２６から野菜室用冷気供給路２６に吹き出されるようになる。
【００２８】
一方、このような冷気の吹き出しにより、冷蔵室５の温度が下がると、ダンパー２１の開放度合が小さくなってマルチダクト１６に供給される冷気の量が少なくなる。そして、このように冷気の量が少なくなると、冷気の大半が野菜室用冷気通路１９及び氷温室用冷気通路２０から吹き出されるので、冷蔵室用冷気通路１８に供給される冷気は主冷気吹出孔１７に到達しない。
【００２９】
しかし、この場合は、冷蔵室用冷気通路１８の野菜室用冷気通路１９を越えて主冷気吹出孔１７に至るまでの途中に形成された補助冷気吹出孔２５により、冷気が冷蔵室５に吹き出されるようになり、冷蔵室５を冷却することができる。
【００３０】
このように、冷蔵室用冷気通路１８の野菜室用冷気通路１９を越えて主冷気吹出孔１７に至るまでの途中に補助冷気吹出孔２５を形成することにより、ダンパー２１の開放度合が小さい場合でも、冷気を冷蔵室５に吹き出すことができる。
【００３１】
【発明の効果】
以上のように請求項１の発明によれば、冷蔵室用冷気通路は、冷却器からの冷気を主冷気吹出孔に向かわせる冷気往路と、この冷気往路の上部より分岐して前記冷気を主冷気吹出孔の下方に設けられた棚部冷気吹出孔に向かわせる冷気復路とから構成され、前記冷気往路の機械式ダンパーの開放度合が一番小さい場合における冷気到達位置に補助冷気吹出孔を形成すると共に、その大きさを、機械式ダンパーの開放度合が大きい場合の、主冷気吹出孔からの冷気の吹き出しに影響を及ぼすことがない程に主冷気吹出孔に比べて小さく形成することにより、機械式ダンパーを使用した場合でも、機械式ダンパーの開放度合が大きい場合の、主冷気吹出孔からの冷気の吹き出しに影響を及ぼすことなく、機械式ダンパーの開放度合が一番小さい場合でも確実に冷蔵室に冷気を供給することができる。これにより、常に冷蔵室を冷却することができる。
【図面の簡単な説明】
【図１】本発明の一実施例に係る冷凍冷蔵庫の本体の正面図。
【図２】上記本体の側面断面図。
【図３】上記本体に形成された冷蔵室の正面拡大図。
【図４】上記冷蔵室の側面断面図。
【符号の説明】
１  本体
２  内箱
３  外箱
４  発泡断熱材
５  冷蔵室
６  冷凍室
１２  冷却器
１４  冷却室
１６  マルチダクト
１７  主冷気吹出孔
１７ａ  棚部冷気吹出孔
１８  冷蔵室用冷気通路
１９  野菜室用冷気通路
２１  機械式ダンパー
２４  連通路
２５  補助冷気吹出孔
【図１】
0003583821.tif 000002
【図２】
0003583821.tif 000003
【図３】
0003583821.tif 000004
【図４】
0003583821.tif 000005